(57)【特許請求の範囲】
【請求項１】
横方向に沿った横框と、縦方向に沿った縦框と、前記縦框を前記横框の長さ方向の端部にこれの横側方の外側からあてがって締結する締結具とを有する引き戸において、
前記締結具の頭部に対面して前記頭部を覆う防護部材が前記縦框及び前記横框のうちの少なくとも一方に固定されており、
前記縦框は召合せ框であり、平面視において、空洞を形成するように互いに対向する２個１組の対向壁部と前記対向壁部に隣設する２個１組の隣設壁部とを有しており、２個１組の前記対向壁部のうち前記横框の端部に近い側は、前記防護部材を取り付ける取付部を有すると共に、２個１組の前記対向壁部のうち前記横框の端部に遠い側は、前記防護部材の一部を案内して当該一部を嵌合する前記規制溝を有することを特徴とする引き戸。
【請求項２】
横方向に沿った横框と、横側方に開口する工具挿通用の作業孔を有すると共に縦方向に沿った縦框と、前記縦框を前記横框の長さ方向の端部にこれの横側方の外側からあてがって、前記作業孔から挿通した工具により締結する締結具とを有する引き戸において、
前記作業孔に対面して前記作業孔を覆う防護部材が前記縦框及び前記横框のうちの少なくとも一方に固定されており、
前記縦框は召合せ框であり、平面視において、空洞を形成するように互いに対向する２個１組の対向壁部と前記対向壁部に隣設する２個１組の隣設壁部とを有しており、２個１組の前記対向壁部のうち前記横框の端部に近い側は、前記防護部材を取り付ける取付部を有すると共に、２個１組の前記対向壁部のうち前記横框の端部に遠い側は、前記防護部材の一部を案内して当該一部を嵌合する前記規制溝を有することを特徴とする引き戸。
【請求項３】
請求項１または請求項２において、前記防護部材は、前記縦框の上辺部に第２締結具または溶接部により固定される固定部と、前記固定部に連設され前記締結具の頭部及び前記作業孔のうちの少なくとも一方に対面して覆う邪魔部とを有することを特徴とする引き戸。
【請求項４】
請求項１〜請求項３のうちのいずれか一項において、前記縦框及び前記横框のうちの少なくとも一方は、前記防護部材の変形を抑止する変形抑止部を有することを特徴とする引き戸。
【発明の詳細な説明】
【技術分野】
【０００１】
本発明は侵入者に対する防犯性を高めた引き戸に関する。
【背景技術】
【０００２】
従来、引き違い窓は、縦方向に沿った縦框としての戸当たり框と、縦方向に沿った縦框としての召合せ框と、上側で横方向に沿った上框と、下側で横方向に沿った下框とを有する（特許文献１，２）。そして、組み付けの際には、横方向に沿った上框の長さ方向の端部と下框の長さ方向の端部とに、召合せ框及び戸当たり框を横側方から当てがった状態で、召合せ框の横側方から挿通した締結具（ビス）により、これらを締結して組み付けている。この構造により水密性、気密性、耐風圧性を確保するのに有利となる。
【特許文献１】特開平１０−１６９３２３号公報
【特許文献２】特開平１１−３５０８４７号公報
【発明の開示】
【発明が解決しようとする課題】
【０００３】
上記した締結構造によれば、侵入者に対する防犯性の更なる向上が要請されている。殊に、外障子の召合せ框はその構造上、室外側に露出されているため、上記した組み付け構造を知っている侵入者が室外側から上記した締結具を取り外して、外障子の召合せ框の締結構造を外し、室内に侵入するおそれがあった。本発明は上記した実情に鑑みてなされたものであり、侵入防止性を高めた引き戸を提供することを共通の課題とする。
【課題を解決するための手段】
【０００４】
様相１に係る引き戸は、横方向に沿った横框と、縦方向に沿った縦框と、縦框を横框の長さ方向の端部にこれの横側方の外側からあてがって締結する締結具とを有する引き戸において、締結具の頭部に対面して頭部を覆う防護部材が縦框及び横框のうちの少なくとも一方に固定されており、縦框は召合せ框であり、平面視において、空洞を形成するように互いに対向する２個１組の対向壁部と対向壁部に隣設する２個１組の隣設壁部とを有しており、２個１組の対向壁部のうち横框の端部に近い側は、防護部材を取り付ける取付部を有すると共に、２個１組の対向壁部のうち横框の端部に遠い側は、防護部材の一部を案内して当該一部を嵌合する規制溝を有することを特徴とする。
【０００５】
様相１に係る引き戸によれば、引き戸としては、窓、ドア等を例示できる。締結具としてはビス、ボルト等を例示できる。縦框を横框の長さ方向の端部にこれの横側方から締結する締結具の頭部に、防護部材が対面し、防護部材が締結具の頭部を覆う。この結果、侵入者が工具等により締結具を取り外すことができない。よって侵入者が締結具を取り外して室内に侵入することが抑えられる。なお、上記した防護部材で防護する縦框としては、召合せ框とする。
【０００６】
様相２に係る引き戸は、横方向に沿った横框と、横側方に開口する工具挿通用の作業孔を有すると共に縦方向に沿った縦框と、縦框を横框の端部にこれの横側方の外側からあてがって、作業孔から挿通した工具により締結する締結具とを有する引き戸において、作業孔に対面して作業孔を覆う防護部材が縦框及び横框のうちの少なくとも一方に固定されており、縦框は召合せ框であり、平面視において、空洞を形成するように互いに対向する２個１組の対向壁部と対向壁部に隣設する２個１組の隣設壁部とを有しており、２個１組の対向壁部のうち横框の端部に近い側は、防護部材を取り付ける取付部を有すると共に、２個１組の対向壁部のうち横框の端部に遠い側は、防護部材の一部を案内して当該一部を嵌合する規制溝を有することを特徴とする。
【０００７】
様相２に係る引き戸によれば、締結具の締結及び取り外しを行う工具を挿通する作業孔に防護部材が対面し、防護部材が作業孔を閉鎖状態に覆う。この結果、侵入者が工具を作業孔に挿通して締結具を取り外すことができない。故に、侵入者が締結具を取り外して室内に侵入することが抑えられる。なお、上記した縦框としては、召合せ框とする。
【０００８】
様相１，２に係る引き戸によれば、上記した特徴に加えて、防護部材は、縦框のうち召合せ框に取り付けられていることを特徴とする。室外側の侵入者が召合せ框を取り外すことができなくなり、防護上有利である。
【０００９】
様相３に係る引き戸によれば、上記した特徴に加えて、防護部材は、縦框の上辺部に第２締結具または溶接部により固定される固定部と、固定部に連設され締結具の頭部及び作業孔のうちの少なくとも一方に対面して覆う邪魔部とを有することを特徴とする。防護部材を固定する固定部は、縦框の上辺部に第２締結具または溶接部により固定されている。引き戸が構造物に取り付けられている状態では、縦框の上辺部は家屋、集合住宅、ビル等の建築物に代表される構造物の壁部に上側から覆れている。このため、引き戸が構造物に取り付けられている限り、室外側の侵入者は上記した第２締結具または溶接部を視認することが不可能または困難となる。故に防護部材の固定部を取り外すことが不可能または困難となる。
【００１０】
様相４に係る引き戸によれば、上記した特徴に加えて、縦框及び横框のうちの少なくとも一方は、防護部材の変形を抑止する変形抑止部を有することを特徴とする。この場合、変形阻止部により防護部材の変形が抑止されている。この結果、防護部材が工具挿通用の作業孔や締結具を覆う機能が長期にわたり維持され、防犯上好ましい。変形防止部は、防護部材のうちの少なくとも一部を嵌合して当該一部の変形を規制する前記規制溝を有することが好ましい。この場合、規制溝は、防護部材のうち少なくとも一部を嵌合して当該一部の変形を規制するため、防護部材の変形が抑止されている。この結果、防護部材が工具挿通用の作業孔や締結具を覆う機能が長期にわたり維持され、防犯上好ましい。
【発明の効果】
【００１１】
本発明に係る引き戸によれば、防護部材が締結具の頭部に対面したり、工具挿通用の作業孔に対面したりし、これらを覆う。この結果、締結具の頭部、作業孔に対する防護性を高めることができ、侵入者が工具等により締結具を取り外すことができない。侵入者が締結具を取り外して引き戸を損傷させて室内に侵入することが抑えられる。これにより侵入防止性を高めた窓やドアなどの引き戸を提供することができる。
【００１２】
本発明に係る引き戸によれば、上記した特徴に加えて、縦框は召合せ框であり、平面視において、空洞を形成するように互いに対向する２個１組の対向壁部と対向壁部に隣設する２個１組の隣設壁部とを有しており、２個１組の対向壁部のうち横框の端部に近い側は、防護部材を取り付ける取付部を有すると共に、２個１組の対向壁部のうち横框の端部に遠い側は、防護部材の一部を案内して当該一部を嵌合する規制溝を有する。この場合、規制溝は、防護部材のうちの少なくとも一部を嵌合して当該一部の変形を規制するため、侵入者により防護部材の異常な変形が抑止されている。この結果、防護部材が工具挿通用の作業孔や締結具を覆う機能が長期にわたり維持され、防犯上好ましい。
【発明を実施するための最良の形態】
【００１３】
（参考形態１）
本発明に係る参考形態１について図１〜図６を参照して具体的に説明をする。図１は、家屋、集合住宅、ビル等の構造物１の開口１０に取り付けられた窓枠１２の窓を開閉する外障子２及び内障子３を有する引き違い窓である引き戸構造を示す。窓枠１２は縦枠１３と横枠１４とを有する。外障子２は、縦方向に沿った縦框としての戸当たり框２０と、縦方向に沿った縦框としての召合せ框２１と、上側で横方向に沿った上框２２と、下側で横方向に沿った下框２３と、これらにより保持されたガラス部２４とを有する。
【００１４】
内障子３は、縦框としての戸当たり框３０と、縦框としての召合せ框３１と、上框３２と、下框３３と、これらにより保持されたガラス部３４とを有する。召合せ框は業界で周知の用語であり、外障子２及び内障子３を閉鎖しているとき、外障子２の縦框と内障子３の縦框とが重なり合う框（かまち）の意味である。障子は業界で周知の用語であり、窓やドア等の引き戸を意味する。
【００１５】
図２は図１のＩＩ−ＩＩ線に沿った断面図を示す。図２に示すように、外障子２の召合せ框２１は金属製（例えばアルミニウム合金製）であり、断面四角形状をなす空洞４０を形成するように、互いに対向する２個１組の対向壁部４１ａ，４１ｂと、対向壁部４１ａ，４１ｂに隣設する２個１組の隣設壁部４２ａ,４２ｂとを有する。対向壁部４１ａ,４１ｂのうち、外障子２の上框２２の端部２２ｃに相対的に近い側の対向壁部４１ｂには、締結具５を締結するための締結孔４４が形成されている。更に、対向壁部４１ａ,４１ｂのうち、外障子２の上框２２の端部２２ｃに相対的に遠い側の対向壁部４１ａには、作業孔５５が室外Ｅ２に臨むように形成されている。作業孔５５は、締結具５及びこれを操作する工具９を挿通させ得る開口面積を有しており、締結具５をこれの軸芯Ｐの回りで回転させて締結具５を締結するための開口である。
【００１６】
図２に示すように、対向壁部４１ａ,４１ｂのうち、外障子２の上框２２の端部２２ｃに相対的に近い対向壁部４１ｂには、凹部４５を形成する突出壁部４６ａ，４６ｂが並設されつつ突出されている。外障子２を構成する横框である上框２２の長さ方向の端部２２ｃが凹部４５に嵌合されている。図３に示すように、外障子２の召合せ框２１においては、対向壁部４１ａ,４１ｂのうち、外障子２の上框２２の端部２２ｃに相対的に近い側の対向壁部４１ｂには、取付孔４７をもつ取付部４８が形成されている。
【００１７】
外障子２を製造過程で組み付けるときには、上記のように外障子２の金属製（例えばアルミニウム合金製）の上框２２の長さ方向の端部２２ｃが外障子２の召合せ框２１の凹部４５に嵌合されている状態において、召合せ框２１の横側方に開口する作業孔５５から締結具５（ビス）を挿通すると共に、作業孔５５からドライバーなどの工具９を挿通し、工具９により締結具５を軸芯Ｐ回りで回転させ、締結具５により、図２に示すように外障子２の召合せ框２１と外障子２の上框２２の長さ方向の端部２２ｃとが締結状態で固定されている。この場合、召合せ框２１は、上框２２の長さ方向の端部２２ｃの端面２２ｆに当接または対面する。
【００１８】
また図２に示すように、内障子３の召合せ框３１は金属製（例えばアルミニウム合金製）であり、外障子２の場合と同様に、断面四角形状をなす空洞９０を形成するように、互いに対向する２個１組の対向壁部９１ａ，９１ｂと、対向壁部９１ａ，９１ｂに隣設する２個１組の隣設壁部９２ａ,９２ｂとを有する。内障子３を製造過程で組み付けるときには、外障子２の場合と同様に、上記のように内障子３の上框３２の長さ方向の端部３２ｃが内障子３の召合せ框３１の凹部９５に嵌合されている。そして図示はしないものの、内障子３の召合せ框３１の横側方に開口する作業孔から締結具を挿通すると共に、この作業孔からドライバーなどの工具を挿通し、締結具により内障子３の召合せ框３１と内障子３の上框３２の長さ方向の端部３２ｃとが締結状態で固定されている。
【００１９】
ところで、外障子２の締結構造についてみると、図２に示すように外障子２の召合せ框２１と外障子２の上框２２の長さ方向の端部２２ｃとが締結具５により締結されている。この構造では、室外Ｅ２側の侵入者は、工具９を外障子２の召合せ框２１の作業孔５５に室外Ｅ２側から差し込めば、工具９を利用して締結具５を外す方向に回転させることができる。この場合、外障子２の召合せ框２１と外障子２の上框２２の端部２２ｃとの締結が外されてしまい、侵入者が室内Ｅ１側に侵入できるおそれがある。殊に、図２に示すように、外障子２の召合せ框２１については、その構造上、召合せ框２１の作業孔５５は室外Ｅ２側に露出している。このため室外Ｅ２側の侵入者がドライバーなどの工具９を室外Ｅ２側から外障子２の召合せ框２１の作業孔５５に差し込んで、締結具５を外すおそれがある。
【００２０】
この点について本形態によれば、図４,図５に示すように、防犯用の防護部材６が設けられている。図４では明確化のため防護部材６を斜線領域で示す。図４に示すように、防護部材６は、平面視で『Ｌ』字形状をなしている。また図５に示すように、防護部材６は、側面視で『Ｌ』字形状をなしており、板状をなす固定部６０と、固定部６０と一体的な板状をなす邪魔部６５とで形成されている。防護部材６の固定部６０は、外障子２の召合せ框２１の長さ方向と交差する方向に沿ってつまり矢印Ｘ方向に沿って延設されている。防護部材６は空洞４０の上端開口４０ｕから矢印Ｋ１方向に空洞４０内に差し込まれる。そして、防護部材６の固定部６０は、外障子２の召合せ框２１の取付部４８の取付孔４７に第２締結具５Ｂ（ビス）により取り付けられている。ここで、防護部材６の邪魔部６５は、固定部６０に一体的に連設されており、固定部６０の端６０ｃから下方に向けて召合せ框２１の長さ方向つまり矢印Ｙ方向に沿って延設されている。この結果、図５に示すように、召合せ框２１の空洞４０内に固定された防護部材６の邪魔部６５は、外障子２の召合せ框２１の作業孔５５にこれの内側から対面し、作業孔５５を直接的に内側から覆って、作業孔５５を閉鎖している。更に図５に示すように、防護部材６の邪魔部６５は締結具５の頭部５０も間隔を隔てて覆っている。
【００２１】
従って、室外Ｅ２側の侵入者は、外障子２の召合せ框２１の作業孔５５にドライバーなどの工具９を差し込むことができない。故に、工具９を利用して締結具５を締結方向と逆方向に回転させることができない。よって、外障子２の召合せ框２１と外障子２の上框２２の端部２２ｃとの締結が外されることが防止され、侵入者が外障子２を外して室内Ｅ１側に侵入するおそれを回避することができ、防犯対策上有利である。
【００２２】
防護部材６を外障子２の召合せ框２１に取り付けた第２締結具５Ｂは、図５に示すように、外障子２を据え付けた構造物１側の窓枠１２により覆われているため、通常の使用形態では、室外Ｅ２側の侵入者は第２締結具５Ｂの頭部５０Ｂを視認することができないため、外障子２自体を窓枠１２から外さない限り、侵入者が第２締結具５Ｂを外すことはできず、従って防護部材６を外すことができず、防犯上好ましい。
【００２３】
本形態によれば、防護部材６は、図５に示すように側面視で『Ｌ』字形状をなしており、板状をなす固定部６０と、固定部６０と一体的な板状をなす邪魔部６５とで形成されているため、召合せ框２１の空洞４０の空洞幅ＬＡ（図５参照）が大きいときであっても、防護部材６の固定部６０を利用して、召合せ框２１の対向壁部４１ｂの取付部４８に取り付けることができ、防護部材６の取付性が確保される。なお防護部材６の材質としては特に限定されず、鉄系、アルミニウム合金系等適宜採用することができるが、強度及び剛性を有するものが好ましい。
【００２４】
上記した説明は、外障子２の召合せ框２１と外障子２の上框２２との締結構造に防護部材６を取り付ける形態について説明しているが、図６に示すように、外障子２の召合せ框２１と外障子２の下框２３との締結構造に適用しても良い。即ち、図６は、外障子２の召合せ框２１と外障子２の下框２３の長さ方向の端部２３ｃとの締結構造を示す。この場合においても、図６に示すように、外障子２の召合せ框２１の下部側に形成されている作業孔５５や締結具５の頭部５０を覆うように防護部材６を取り付けている。
【００２５】
（参考形態２）
図７は本発明に係る参考形態２を示す。本参考形態は前記した参考形態１と基本的には同様の構成、同様の作用効果を有する。以下、参考形態１と相違する部分を中心として説明する。図７は平面視を示す。この平面視において、防護部材６Ｂの固定部６０及び邪魔部６５は、基本的には『Ｔ』字形状とされている。作業孔５５を開口させるように防護部材６Ｂの邪魔部６５を矢印Ｘ１方向に強制的に曲げるとき、曲げ抵抗力が更に増加する。このため、室外Ｅ２側の侵入者が室外Ｅ２側からドライバーなどの工具９を外障子２の召合せ框２１の作業孔５５に差し込むことが抑えられ、防犯上好ましい。
【００２６】
（実施形態１）
図８,図９は本発明に係る実施形態１を示す。本実施形態は前記した参考形態１と基本的には同様の構成、同様の作用効果を有する。以下、参考形態１と相違する部分を中心として説明する。図８は防護部材６Ｃを取り付ける前の状態の平面視を示す。図９は防護部材６Ｃを取り付けた後の状態の平面視を示す。図８に示すように、外障子２の縦框である召合せ框２１には、防護部材６Ｃの変形を抑止する変形抑止部７が形成されている。図８に示すように、変形防止部７は、防護部材６Ｃのうち邪魔部６５を嵌合して当該邪魔部６５の変形を規制する規制溝７０と、規制溝７０を形成するように延設された規制突起７１とを有する。規制突起７１は外障子２の召合せ框２１の隣設壁部４２ａ，４２ｂのうち作業孔５５に近い部位に形成されている。なお、規制溝７０の溝幅ｔ１は防護部材６Ｃの邪魔部６５の厚みｔ２に整合しており、溝幅ｔ１,厚みｔ２はほぼ同一に設定されている。
【００２７】
防護部材６Ｃを召合せ框２１の空洞４０に差し込めば、防護部材６Ｃの邪魔部６５を規制溝７０に嵌合することができる。規制突起７１は、防護部材６Ｃの邪魔部６５を定位置に案内する案内作用を奏することができる。この状態では、作業孔５５を開口させるように侵入者が作業孔５５に室外Ｅ２側からドライバーなどの工具９を差し込んで、防護部材６Ｃの邪魔部６５を矢印Ｘ１方向に曲げようとしても、規制突起７１により、防護部材６Ｃの邪魔部６５の曲げ抵抗力が更に増加する。このため室外Ｅ２側の侵入者が外障子２の召合せ框２１の作業孔５５に工具９を差し込むことが一層抑えられ、防犯上好ましい。規制突起７１は長く延設されているため、防護部材６Ｃの邪魔部６５の曲げ抵抗力を大きくすることができる。殊に、規制突起７１は外障子２の召合せ框２１と一体成形されているため、強度及び剛性を有する。この場合、防護部材６Ｃの邪魔部６５を矢印Ｘ１方向に曲げるようとするとき、規制突起７１により、曲げ抵抗力が更に増加するので、防犯上好ましい。
【００２８】
（実施形態２）
図１０は本発明に係る実施形態２を示す。本実施形態は前記した実施形態１と基本的には同様の構成、同様の作用効果を有する。以下、実施形態１と相違する部分を中心として説明する。図１０は側面視を示す。この側面視において、防護部材６Ｄは逆Ｕの字形状をなしており、互いに対向する２つの邪魔部６５を有しており、拡開方向（矢印Ｘ３方向）へのバネ力を発揮することができる。外障子２の縦框である召合せ框２１には、防護部材６Ｄの変形を抑止する変形抑止部７Ｄが形成されている。変形防止部７Ｄは、防護部材６Ｃのうち邪魔部６５を嵌合して当該邪魔部６５の変形を規制する規制溝７０と、規制溝７０を形成する規制突起７１とを有する。防護部材６Ｄのうちの一方の邪魔部６５を規制溝７０に嵌合して規制突起７１に係合させている。これにより防護部材６Ｄは外障子２の召合せ框２１の空洞４０内に差し込まれ、バネ力により保持されている。この結果、防護部材６Ｄの一方の邪魔部６５は作業孔５５を覆って閉鎖し、これに対して他方の邪魔部６５は締結具５の頭部５０をこれに接近しつつ覆っている。規制突起７１は外障子２の召合せ框２１と一体成形されているため、強度及び剛性を有しており、防護部材６Ｄの一方の邪魔部６５を矢印Ｘ１方向に曲げるようとするとき、曲げ抵抗力が更に増加する。
【００２９】
（その他）
上記した実施形態によれば、外障子２の召合せ框２１と外障子２の上框２２や下框２３との締結構造に防護部材６を取り付ける形態について説明しているが、これに限らず、内障子３の召合せ框３１と内障子３の上框３２や下框３３との締結構造においても、作業孔５５や締結具５を覆うように防護部材６を取り付けることにしても良い。その他、本発明は上記し且つ図面に示した実施形態のみに限定されるものではなく、要旨を逸脱しない範囲内で適宜変更して実施できるものである。
【００３０】
上記した記載から次の技術的思想も把握できる。
［付記項１］横方向に沿った横框と、縦方向に沿った縦框と、前記縦框を前記横框の長さ方向の端部にこれの横側方の外側からあてがって締結する締結具とを有する引き戸において、前記締結具の頭部に対面して前記頭部を覆う防護部材が前記縦框及び前記横框のうちの少なくとも一方に固定されていることを特徴とする引き戸。
［付記項２］横方向に沿った横框と、横側方に開口する工具挿通用の作業孔を有すると共に縦方向に沿った縦框と、前記縦框を前記横框の長さ方向の端部にこれの横側方の外側からあてがって、前記作業孔から挿通した工具により締結する締結具とを有する引き戸において、前記作業孔に対面して前記作業孔を覆う防護部材が前記縦框及び前記横框のうちの少なくとも一方に固定されていることを特徴とする引き戸。
【産業上の利用可能性】
【００３１】
本発明は窓やドア等の引き戸に適用することができる。
【図面の簡単な説明】
【００３２】
【図１】参考形態１に係り、引き戸構造の正面図である。
【図２】参考形態１に係り、図１のＩＩ−ＩＩ線に沿った断面図である。
【図３】参考形態１に係り、外障子の召合せ框と上框との組み付け部分付近の平面図である。
【図４】参考形態１に係り、防護部材を取り付けた外障子の召合せ框と上框との組み付け部分付近の平面図である。
【図５】参考形態１に係り、防護部材を取り付けた外障子の召合せ框と上框との組み付け部分付近の側面図である。
【図６】参考形態１に係り、防護部材を取り付けた外障子の召合せ框と下框との組み付け部分付近の側面図である。
【図７】参考形態２に係り、防護部材を取り付けた外障子の召合せ框と下框との組み付け部分付近の平面図である。
【図８】実施形態１に係り、防護部材を取り付ける前の外障子の召合せ框と下框との組み付け部分付近の平面図である。
【図９】実施形態１に係り、防護部材を取り付けた外障子の召合せ框と下框との組み付け部分付近の平面図である。
【図１０】実施形態２に係り、防護部材を取り付けた外障子の召合せ框と下框との組み付け部分付近の側面図である。
【符号の説明】
【００３３】
図中、１は構造物、１２は窓枠、２は外障子、２１は召合せ框（縦框）、２２は上框（横框）、２３は下框（横框）、４０は空洞、４１は対向壁部、４２は隣設壁部、５は締結具、５０は頭部、５５は作業孔、６は防護部材、６０は固定部、６５は邪魔部、７は変形抑止部、７０は規制溝、７１は規制突起を示す。
【図１】
0004610883.tif 000002
【図２】
0004610883.tif 000003
【図３】
0004610883.tif 000004
【図４】
0004610883.tif 000005
【図５】
0004610883.tif 000006
【図６】
0004610883.tif 000007
【図７】
0004610883.tif 000008
【図８】
0004610883.tif 000009
【図９】
0004610883.tif 000010
【図１０】
0004610883.tif 000011